(57)【要約】【課題】  グリップ部材及び手当て部材が握りやすく、片手作業でも回転工具を力強くかつ容易に回転することができ、常に安定した握り易さを確保できるようにする。【解決手段】  回転工具２を取り付けるグリップ部材３の後部に手の平と当接する手当て部材４を回動自在に設け、この手当て部材４の外周部の一部に径外方向に膨出して当接面積を拡大する膨出部１１を形成する。【選択図】図１
2006198695.tif 000002
【特許請求の範囲】
【請求項１】
回転工具を取り付けるグリップ部材の後部に手の平と当接する手当て部材を回動自在に設け、この手当て部材の外周部の一部に径外方向に膨出して当接面積を拡大する膨出部を形成していることを特徴とする回転工具のグリップ。
【請求項２】
前記膨出部に重りを設けていることを特徴とする請求項１に記載の回転工具のグリップ。
【請求項３】
前記グリップ部材は指で握る握り部と、この握り部から後方に突出していて前記手当て部材を嵌合して手当て部材を前後方向位置規制した状態で回動自在に装着する装着部と、前記握り部から前部側へ細くなっている回し部とを有していることを特徴とする請求項１又は２に記載の回転工具のグリップ。
【発明の詳細な説明】
【技術分野】
【０００１】
本発明は、精密作業にも使用できる回転工具のグリップに関する。
【背景技術】
【０００２】
例えば、弱電・精密分野、ＩＴ部品の組み立て、ＯＡ機器のアフターメンテナンスなど、入り組んだ場所、高密度実装の箇所で使用される精密回転工具であるドライバーのグリップは、多本数のネジをより速く、効率よく締結、取り外しができることが要求される。
この種の従来技術においては、特許文献１に開示されているように、ハンドル（グリップ）後部に回転自在な椀状部を設けて握り部を形成しており、この握り部に指又は手の平をあてがい、回転工具を回転対象物に押圧しながら回転できるように構成されている。
【特許文献１】特開平８−１４１９２３号公報
【発明の開示】
【発明が解決しようとする課題】
【０００３】
前記従来技術においては、ハンドルの握り部に椀状部を設けているので、回転工具のグリップを回転対象物に押圧しても手の平が痛くなるのを減少することができるが、椀状部は握り部の全周囲が径外方向に膨出しているため、手の平で包み込むとハンドルが握り難くなり、片手で作業をするには、回転し難い形状になってしまっている。そのため、回転工具のグリップ軸を力強くかつ容易に回転するということが困難になることがある。
本発明は、このような従来技術の問題点を解決できるようにした回転工具のグリップを提供することを目的とする。
【０００４】
本発明は、手の平との当接面積を拡大しても、グリップ部材が握りやすく、片手作業でも回転工具のグリップ軸を力強くかつ容易に回転することができ、常に安定した握り易さを確保できるようにした回転工具のグリップを提供することを目的とする。
【課題を解決するための手段】
【０００５】
本発明における課題解決のための具体的手段は、次の通りである。
第１に、回転工具を取り付けるグリップ部材の後部に手の平と当接する手当て部材を回動自在に設け、この手当て部材の外周部の一部に径外方向に膨出して当接面積を拡大する膨出部を形成していることである。
これによって、手の平との当接面積を拡大しても、グリップ部材が握りやすく、片手作業でも回転工具を力強くかつ容易に回転することができる。しかも、グリップ部材を握るとき、膨出部に薬指又は小指を掛けて握りを安定させることができ、かつ、置いた状態から回転工具を取り上げるとき、グリップ部材を握ると手当て部材は膨出部が常に下側にくるように回動するので、手の平に対して手当て部材の膨出部が常に握りやすい位置に常に配置できる。
【０００６】
第２に、前記膨出部に重りを設けていることである。
これによって、グリップ部材を握ったときに、手当て部材の膨出部が下側になるように回転するのをより確実にできる。
第３に、前記グリップ部材は指で握る握り部と、この握り部から後方に突出していて前記手当て部材を嵌合して手当て部材を前後方向位置規制した状態で回動自在に装着する装着部と、前記握り部から前部側へ細くなっている回し部とを有していることである。
これによって、グリップ部材及び手当て部材の握りがより容易になるとともに、回転工具のグリップ軸の早回し押しつけ力の発生等がより確実にできる。
【発明の効果】
【０００７】
本発明によれば、手の平との当接面積を拡大しても、グリップ部材が握りやすく、片手作業でも回転工具のグリップを力強くかつ容易に回転することができる。しかも、グリップ部材を握るとき、膨出部に薬指又は小指を掛けて握りを安定させることができ、かつ、置いた状態から回転工具を取り上げるとき、グリップ部材を握ると手当て部材は膨出部が常に下側にくるように回動するので、手の平に対して手当て部材の膨出部が常に握りやすい位置に常に配置できる。
【発明を実施するための最良の形態】
【０００８】
以下、本発明の実施の形態を図面に基づいて説明する。
図１〜４において、１は精密作業に使用されるドライバーに使用されているグリップであり、先端がドライバー刃先となっている回転工具２と、この回転工具２の基端部（グリップ軸、軸部）に固着されたグリップ部材３と、このグリップ部材３の後部に回動自在に設けられていて手の平と当接する手当て部材４とを有している。
前記回転工具２は金属棒材で形成されていて、プラス、マイナス又はトルクス等の先端形状を有している。この回転工具２のグリップ軸はワイヤーハーネスや端子台にスムーズに挿入できるように比較的細軸にしてある。
【０００９】
グリップ部材３は、セルローズアセテート樹脂又はその他の合成樹脂で形成されていて指で握る握り部６と、この握り部６から後方に突出していて手当て部材４を嵌合して手当て部材４を前後方向位置規制した状態で回動自在に装着する装着部７と、前記握り部６から前部側へ細くなっている回し部８とを有している。
前記握り部６は６角形、８角形等の多角形の各辺が円弧形状に形成されていて、指先で回しやすい形状になっており、親指、人差し指及び中指に把持される部分であって、この握り部６を把持した状態で、親指、人差し指及び中指の各指先で回し部８を摘んで回転工具２を回すことになる。この握り部６は回し部８よりも大径であるので、回転工具２に与えるトルクを大きくできる。
【００１０】
回し部８は６角形、８角形等の角部を面取りした多角形状に形成されていて、指先で回しやすい形状になっており、この回し部８の握り部６との接続部分は細くくびれており、その表面には周方向の凹凸、すなわち、回転工具２の長手方向に沿った凸条と細溝が形成されていて、指先で回しやすい形状になっている。この回し部８の特にくびれ部８ａは握り部６より小径であるので、早回しと微妙な締め付けができる。
前記装着部７は握り部６より細く、回転工具２のグリップ軸と同心の支持軸部となっており、手当て部材４をグリップ軸芯廻りに回転自在に支持している。この装着部７には軸方向（長手方向）中途部に周溝９が形成されている。
【００１１】
手当て部材４はポリプロピレン、その他の合成樹脂でキャップ形状に形成されており、その空洞４ａの内壁には環状の凸条部４ｂが形成されており、外周部の一部（一カ所）に径外方向に膨出した膨出部１１が形成されている。
手当て部材４はその空洞４ａで装着部７に嵌合すると、凸条部４ｂが周溝９に係合し、装着部７に対して長手方向の位置が規制され、抜け止めが施された状態で回動自在に装着される。
この手当て部材４の空洞４ａの奥面は装着部７の後端と、又は手当て部材４の前端が握り部６の後端と当接可能になっており、スムーズな回転ができるように、早回しの際に押しつけ力が発生しても低抗とならないように装着部７に嵌合しており、しかも、手当て部材４からの大きな押圧力がグリップ部材３へ作用可能になっている。
【００１２】
前記膨出部１１は図１、３に示すように、手当て部材４の後部が後下向きに膨出しており、また手当て部材４の左右方向（幅方向）寸法が小さい場合は左右方向にも膨出させることができる。
この膨出部１１は手当て部材４の外周部の一部に径外方向に膨出させているので、この膨出部１０によって手当て部材４の背面形状は円形でなく楕円形又はおむすび形状に近づき、手の平の中の握り形状にフィットし、手の平に対する当接面積が拡大されることになり、この膨出部１１が一カ所（１方向）であることにより、手当て部材４のその他の部分では握り部６と同じように握ることができる。
【００１３】
また、手当て部材４は膨出部１１を形成した分だけ材料重量が増加して周方向の重量バランスがアンバランスになるので、グリップ部材３を摘んでドライバを持ち上げると、手当て部材４は膨出部１１が常に下側にくるように回動することになり、その状態で手の平を手当て部材４に当てると、膨出部１１は手の平と反対側に位置し、膨出部１１がないグリップ部材３を握るのと同じ状態になる。
前記膨出部１１には手当て部材４の空洞４ａから直交方向に連通した貫通孔４ｃが形成されていて、この貫通孔４ｃに鉄球製の重り１２が挿入されている。この重り１２は貫通孔４ｃの出口付近に設けた止め部４ｄによって抜け止めされており、重り１２の表面の一部が貫通孔４ｃから露出している。
【００１４】
手当て部材４は円形状の前部から後部の膨出部１１にかけて下面（図１、４の状態で下面）に側面視円弧面４ｅが形成されており、前記重り１２はこの円弧面４ｅからさらに下方へ突出した状態に配置され、膨出部１１の膨出量をより大きくしており、グリップ部材３を握ったときに、薬指又は小指が膨出部１１により引っ掛かりやすくなっており、薬指又は小指と手の平とで手当て部材４を把持できる形状になっている。
従って、重り１２は膨出部１１による周方向重量のアンバランスを大きくして、手当て部材４を膨出部１１が常に下側にくるようにより確実に回動させるだけでなく、薬指又は小指との掛合により、手当て部材４及びグリップ部材３を握ったときにステッキを握るような握り易さを与え、回転対象物に対する回転工具２の方向性を決めるのに役立つ。
【００１５】
また、手当て部材４は手の平に沿ってに太く折れ曲がって接触させる形状であり、鉄球製の重り１２を内蔵する事により、自重によって常に最良の位置で握れるようになる。
前記回転工具のグリップ１は、例えば締め付けネジが普通ネジの場合、大抵はバーリングやネジ部品のインサートによってタップ穴になっているので、ネジ頭が座面に接触するまでは、グリップ１にかかる抵抗が少ない。そのために手当て部材４に手の平を当接しておくと、回し部８を指先で摘んだ状態で回転工具２のグリップ１を早回しすることができる。
【００１６】
本締めの際、手当て部材４に手の平を当接して回転工具２のグリップ１を支えながら、外径を膨らましたデザイン設計のグリップ部材３の握り部６を親指と人差し指の内側と指先で挟持し、手の平で回転工具２をネジ頭に押圧しながら指で握り部６を回転すると、大きなトルクでネジ頭を確実に回転することができる。
なお、本発明は前記実施形態における各部材の形状及びそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００１７】
例えば、グリップ１に対して回転工具２を挿脱自在に装着して、種類の異なる工具と取り換え自在にしたり、重り１２を膨出部１１の外面に装着するようにしたり、グリップ部材３及び手当て部材４は絶縁体であるが１０の６乗から９乗の低抗率の材料で形成して、電気がゆっくりと流れる静電気対策品にしたりしてもよい。
【図面の簡単な説明】
【００１８】
【図１】本発明の実施の形態を示す側面図である。
【図２】同一部断面平面図である。
【図３】同背面図である。
【図４】手当て部材の断面図である。
【符号の説明】
【００１９】
１        グリップ
２        回転工具
３        グリップ部材
４        手当て部材
４ａ      空洞
４ｂ      凸条部
４ｃ      貫通孔
６        握り部
７        装着部
８        回し部
９        周溝
１１      膨出部
１２      重り
【図１】
2006198695.tif 000003
【図２】
2006198695.tif 000004
【図３】
2006198695.tif 000005
【図４】
2006198695.tif 000006